(57)【要約】【課題】見栄え良く固定可能でありながらも、施工性を向上し得る天井パネルを提供する。【解決手段】方形平板状のパネル本体１０を備えた天井パネル１であって、前記パネル本体における天井下地２に固定される辺部１１の裏面側には、該辺部に沿って間隔を空けて複数の固定片１８が外方に向けて突出するように設けられ、該パネル本体における隣り合う天井パネル側の辺部１１の裏面側には、隣り合う天井パネルのパネル本体の裏面側に互いに干渉しないように引っ掛けられる複数の引掛片１７が各辺部に沿って間隔を空けて、かつ外方に向けて突出するように設けられている。【選択図】図１
2019116785.tif 000002
【特許請求の範囲】
【請求項１】
方形平板状のパネル本体を備えた天井パネルであって、
前記パネル本体における天井下地に固定される辺部の裏面側には、該辺部に沿って間隔を空けて複数の固定片が外方に向けて突出するように設けられ、該パネル本体における隣り合う天井パネル側の辺部の裏面側には、隣り合う天井パネルのパネル本体の裏面側に互いに干渉しないように引っ掛けられる複数の引掛片が各辺部に沿って間隔を空けて、かつ外方に向けて突出するように設けられていることを特徴とする天井パネル。
【請求項２】
請求項１において、
前記固定片は、前記天井下地に止着される止具の止着部がパネル厚さ方向に見て前記引掛片と重なり合わないように設けられ、かつ室内側面が前記引掛片の天井下地側面よりもパネル厚さ方向で天井下地側に位置するように設けられていることを特徴とする天井パネル。
【請求項３】
請求項１または２において、
前記固定片が設けられた辺部には、前記固定片と前記引掛片とが交互に設けられていることを特徴とする天井パネル。
【請求項４】
請求項１乃至３のいずれか１項において、
前記パネル本体には、前記引掛片が引っ掛けられる補強片が裏面に沿うように設けられていることを特徴とする天井パネル。
【請求項５】
請求項４において、
前記固定片が設けられた辺部には、該固定片、前記引掛片及び前記補強片が一体的に設けられた金属製端部材が取り付けられていることを特徴とする天井パネル。
【発明の詳細な説明】
【技術分野】
【０００１】
本発明は、建物の天井を構成する天井パネルに関する。
【背景技術】
【０００２】
従来より、天井パネルとしては、その端部が野縁等の天井下地にビス等によって直接的に固定されたり、目地材等を介して保持されたりして施工されるものが知られている。このようなものでは、天井パネルの室内側においてビスや目地材が露出するという問題があった。
例えば、下記特許文献１には、面材の両側縁部に、構造材に固定される係合部材の係合片に係合される係合部を有したＺ型係合部材を貼着した構成とした面材の取着構造が開示されている。
【先行技術文献】
【特許文献】
【０００３】
【特許文献１】特開平１１−１１７４９５号公報
【発明の概要】
【発明が解決しようとする課題】
【０００４】
しかしながら、上記特許文献１に記載された取着構造では、構造材に対して長尺状の係合部材を位置決めして固定する必要があり、更なる改善が望まれる。
【０００５】
本発明は、上記実情に鑑みてなされたものであり、見栄え良く固定可能でありながらも、施工性を向上し得る天井パネルを提供する。
【課題を解決するための手段】
【０００６】
上記目的を達成するために、本発明に係る天井パネルは、方形平板状のパネル本体を備えた天井パネルであって、前記パネル本体における天井下地に固定される辺部の裏面側には、該辺部に沿って間隔を空けて複数の固定片が外方に向けて突出するように設けられ、該パネル本体における隣り合う天井パネル側の辺部の裏面側には、隣り合う天井パネルのパネル本体の裏面側に互いに干渉しないように引っ掛けられる複数の引掛片が各辺部に沿って間隔を空けて、かつ外方に向けて突出するように設けられていることを特徴とする。
【発明の効果】
【０００７】
本発明に係る天井パネルは、上述のような構成としたことで、見栄え良く固定可能でありながらも、施工性を向上させることができる。
【図面の簡単な説明】
【０００８】
【図１】（ａ）、（ｂ）は、本発明の一実施形態に係る天井パネルの一例を模式的に示し、（ａ）は、概略平面図、（ｂ）は、（ａ）におけるＸ１−Ｘ１線矢視に対応させた一部破断概略縦断面図である。
【図２】（ａ）は、同天井パネルを施工した状態を模式的に示す一部破断概略平面図、（ｂ）は、（ａ）におけるＸ２−Ｘ２線矢視に対応させた一部破断概略縦断面図である。
【図３】（ａ）は、同天井パネルの施工手順の一例を模式的に示す一部破断概略平面図、（ｂ）は、同施工手順の一例を模式的に示し、図２（ｂ）に対応させた一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る天井パネルを施工した状態を基準として上下方向等の方向を説明する。
図１〜図３は、本実施形態に係る天井パネルの一例を模式的に示す図である。
【００１０】
本実施形態に係る天井パネル１は、図１（ａ）、（ｂ）に示すように、方形平板状のパネル本体１０を備えている。この天井パネル１は、図２（ｂ）に示すように、天井下地２に対してねじや釘等の止具５によって固定される。この天井パネル１が固定される天井下地２としては、木造天井下地でもよく、鋼製天井下地でもよい。また、天井下地２を、軽鉄材を用いたいわゆる軽天下地としてもよい。図例では、天井下地２を、吊木や吊ボルト等の吊部材３に野縁４を吊り下げた構成としたいわゆる吊天井とした例を示しているが、種々の構成とされたものでもよい。野縁４は、図２（ａ）に示すように、上下方向に略直交する第１方向に長尺状とされている。また、野縁４は、上下方向及び第１方向に略直交する第２方向に互いに略等間隔を空けて（略等ピッチで）互いに平行状に複数本が配設されて天井下地２を構成する。
【００１１】
また、天井パネル１は、住居やオフィス等の比較的に小型の建物の天井として施工されるものでもよく、体育館やホール、ショッピングモール、工場、学校等の比較的に大型の各種の建物の天井として施工されるものでもよい。
また、この天井パネル１は、単位面積（１ｍ２）当たりの質量が２．０ｋｇ以下とされたものでもよい。また、この天井パネル１の質量を、上記のような軽天下地からなる天井下地２を含んだ天井システム全体の質量が２．０ｋｇ／ｍ２以下となるような質量としてもよい。
【００１２】
パネル本体１０は、平面視して（厚さ方向に見て）、略方形状とされている。本実施形態では、パネル本体１０を、平面視して略正方形状としているが、略長方形状としてもよい。また、パネル本体１０の平面視した状態における大きさは、取扱性や施工性等の観点から適宜の大きさとしてもよく、例えば、１辺の長さが０．３ｍ以上とされたものでもよく、２．０ｍ以下とされたものでもよい。また、略正方形状とされたパネル本体１０においては、１辺の長さが０．６ｍ以上、１．５ｍ以下とされたものでもよく、０．９ｍ〜１．２ｍ程度とされたものでもよい。また、略長方形状とされたパネル本体１０においては、短辺の長さが０．３ｍ以上で、長辺の長さが２．０ｍ以下とされたものでもよい。
また、パネル本体１０の厚さは、層構成等にもよるが、例えば、３．０ｍｍ〜１５．０ｍｍ程度としてもよい。
【００１３】
また、パネル本体１０は、石膏ボードやけい酸カルシウム板、グラスウールボード、ロックウールボードなどでもよく、合成樹脂系材料から形成された樹脂系ボードでもよく、発泡樹脂層を有したものでもよい。また、パネル本体１０は、室内側となる厚さ方向一方側に難燃層が設けられたものでもよい。このような難燃層としては、当該天井パネル１が建築基準法において定められた不燃材料等に必要な性能に関する技術的基準を満たすように適宜の構成とされたものでもよい。例えば、当該天井パネル１が技術的基準における「難燃材料」の基準を満たすように構成されたものでもよく、好ましくは、「準不燃材料」の基準を満たすように構成されたものでもよく、より好ましくは、「不燃材料」の基準を満たすように構成されたものでもよい。
また、パネル本体１０の下方側（室内側）に向く表面（室内側面）１０ａは、化粧シートの貼着や、印刷、塗装等の適宜の表面化粧処理が施された化粧面としてもよく、または、適宜の化粧シートが貼着される下地面としてもよい。
【００１４】
また、図１（ａ）、（ｂ）に示すように、パネル本体１０における天井下地２に固定される辺部１１の裏面１０ｂ側には、この辺部１１に沿って間隔を空けて複数の固定片１８が外方に向けて突出するように設けられている。本実施形態では、複数の固定片１８を、略等間隔を空けて設けた構成としている。
また、パネル本体１０における隣り合う天井パネル１側の辺部１１の裏面１０ｂ側には、隣り合う天井パネル１のパネル本体１０の裏面１０ｂ側に互いに干渉しないように引っ掛けられる複数の引掛片１７が各辺部１１に沿って間隔を空けて設けられている。これら引掛片１７は、外方に向けて突出するように設けられている。本実施形態では、複数の引掛片１７を、略等間隔を空けて設けた構成としている。固定片１８は、天井下地２に止着されるねじ等の止具５の止着部を構成する挿通孔１９がパネル厚さ方向に見て引掛片１７と重なり合わないように設けられている。また、本実施形態では、固定片１８が設けられた辺部１１に、固定片１８と引掛片１７とを交互に設けた構成としている。また、固定片１８と引掛片１７とを略等間隔を空けて交互に設けた構成としている。つまり、隣り合う固定片１８と引掛片１７との間の辺部１１長手方向に沿う寸法が略均等となるように、これら固定片１８及び引掛片１７を設けた構成としている。
【００１５】
また、上記のように第２方向に略等間隔を空けて設けられた野縁４に対応させて第２方向両側の辺部１１，１１に固定片１８を設けた構成としてもよいが、本実施形態では、パネル本体１０の全ての辺部１１，１１，１１，１１に固定片１８を設けた構成としている。つまり、パネル本体１０の四周の側端部を構成する各辺部１１，１１，１１，１１に固定片１８を設けた構成としている。
また、他の天井パネル１が隣接される辺部１１に引掛片１７を設けた構成とすればよいが、本実施形態では、パネル本体１０の全ての辺部１１，１１，１１，１１に引掛片１７を設けた構成としている。つまり、本実施形態では、パネル本体１０の全ての辺部１１，１１，１１，１１に、固定片１８と引掛片１７とを交互に設けた構成としている。なお、これら固定片１８及び引掛片１７は、壁際に配される天井パネル１の壁際の辺部（側端部）には設けていない構成としてもよい。
【００１６】
また、本実施形態では、これら固定片１８及び引掛片１７を、当該天井パネル１を平面視して（厚さ方向に見て）、点対称状（２回対称状（図例では、４回対称状））となるように設けた構成としている。このような構成とすれば、天井パネル１を厚さ方向に沿う軸回りに１８０度（図例では、９０度）回転させた状態でも固定片１８及び引掛片１７が同位置に設けられることとなり、施工性を向上させることができる。つまり、固定片１８及び引掛片１７の位置を確認して正しい向きとなるように回転させる必要性を低減することができる。
また、本実施形態では、パネル本体１０に、引掛片１７が引っ掛けられる補強片１６を裏面１０ｂに沿わせるように設けた構成としている。また、パネル本体１０の全ての辺部１１，１１，１１，１１に補強片１６を設けた構成としている。また、固定片１８が設けられた辺部１１、つまり、本実施形態では、全ての辺部１１，１１，１１，１１に、固定片１８、引掛片１７及び補強片１６が一体的に設けられた金属製端部材１３を取り付けた構成としている。なお、天井パネル１を上記のような難燃材料（準不燃材料または不燃材料）とする観点からは金属製端部材１３とすることが好ましいが、このような態様に代えて、樹脂製端部材１３としてもよい。
また、各辺部１１，１１，１１，１１に、互いに同様の構成とされた金属製端部材１３，１３，１３，１３をそれぞれに取り付けた構成としている。なお、以下では、一つの金属製端部材１３を例にとって説明する。
【００１７】
金属製端部材１３は、図１（ａ）に示すように、パネル本体１０の辺部１１に沿って長尺状とされている。
本実施形態では、図１（ｂ）に示すように、金属製端部材１３に、パネル本体１０に取り付けられる取付片部１４を設けた構成としている。この取付片部１４は、パネル本体１０の厚さ方向に厚さ方向を沿わせて配される薄板状とされている。また、取付片部１４は、パネル本体１０の辺部１１の側端面において開口する取付溝１２に差し込まれて取り付けられている。金属製端部材１３は、この取付片部１４を取付溝１２に差し込むことによってパネル本体１０に取り付けられるものでもよく、接着剤やねじ等の止具を併用して取り付けられるものでもよい。
また、取付片部１４は、パネル本体１０の厚さ方向途中部位（概ね中央部）に位置するように設けられている。なお、この取付片部１４の取付溝１２深さ方向に沿う寸法（幅寸法）は、金属製端部材１３をパネル本体１０の辺部１１に安定的に取り付ける観点等から適宜の寸法としてもよい。また、取付溝１２は、パネル本体１０に予め形成されたものでもよく、取付片部１４の差込によって形成されたものでもよい。また、取付片部１４は、辺部１１の略全体に亘って延びるように設けられたものでもよく、辺部１１に沿って間隔を空けて複数箇所に設けられたものでもよい。なお、取付片部１４をパネル本体１０の厚さ方向途中部位に埋込状に設けた態様に代えて、パネル本体１０の表面１０ａにおいて露出するように埋込状に設けた態様としたり、表面１０ａに沿わせるように設けた態様としたりしてもよい。金属製端部材１３をパネル本体１０に取り付ける態様としては、その他、種々の変形が可能である。
【００１８】
また、金属製端部材１３は、取付片部１４の外側（隣り合う天井パネル１側）の端部からパネル本体１０の裏面１０ｂ側（上方側）に向けてパネル本体１０の厚さ方向に立ち上がるように設けられた端面片部１５を備えている。この端面片部１５は、辺部１１の略全体に亘って延びるように設けられている。このような構成とすれば、パネル本体１０の裏面１０ｂ側の端面を補強することができる。
また、この端面片部１５は、外側面（隣り合う天井パネル１側に向く面）がパネル本体１０の表面１０ａ側（下面側）部位の側端面よりも外側（隣り合う天井パネル１側）に突出しないように設けられている。このような構成とすれば、端面片部１５を設けた構成としながらも、図２（ｂ）に示すように、隣り合う天井パネル１，１のパネル本体１０，１の表面１０ａ，１０ａ側部位の側端面同士を当接または近接対面させることができる。図例では、この端面片部１５の外側面を、パネル本体１０の表面１０ａ側部位の側端面と略同一平面状とした例を示している。パネル本体１０の辺部１１の取付溝１２よりも裏面１０ｂ側の部位は、端面片部１５の受け入れが可能なように表面１０ａ側部位よりも内側（反対側の辺部１１側）に凹んだ構成とされている。
【００１９】
補強片１６は、端面片部１５の上端部（天井下地２側の端部）から内側（反対側の辺部１１側）に向けて突出するように設けられ、パネル本体１０の厚さ方向に厚さ方向を沿わせて配される薄板状とされている。この補強片１６は、下方側に向く厚さ方向一方側面（室内側面）がパネル本体１０の裏面１０ｂに対面するように設けられている。図例では、この補強片１６の厚さ方向一方側面を、パネル本体１０の裏面１０ｂに当接させて設けた例を示しているが、パネル本体１０の裏面１０ｂから離間させて設けた構成としてもよい。
また、本実施形態では、この補強片１６を、辺部１１の略全体に亘って延びるように設けた構成としている。このような構成とすれば、パネル本体１０の裏面１０ｂ側の端縁を端面片部１５とによって補強することができる。なお、このような態様に代えて、補強片１６を、隣り合う天井パネル１の引掛片１７の位置に対応させて辺部１１に沿って間隔を空けて複数箇所に設けた構成としてもよい。また、この補強片１６の内側への突出寸法（幅寸法）は、引掛片１７が安定的に引掛けられるように、また、引掛片１７によるパネル本体１０の裏面１０ｂの損傷を抑制する観点等から適宜の寸法としてもよい。
【００２０】
引掛片１７は、パネル本体１０の厚さ方向に厚さ方向を沿わせて配される薄板状とされている。また、引掛片１７は、隣り合う他の天井パネル１の補強片１６上に引掛可能なように設けられている。つまり、引掛片１７は、下方側に向く室内側面が補強片１６の上方側に向く天井下地側面よりもパネル厚さ方向で僅かに天井下地側（上方側）に位置するように設けられている。
また、この引掛片１７は、隣り合う天井パネル１，１同士が施工された状態で、隣り合う天井パネル１の引掛片１７と干渉しないように、隣り合う天井パネル１の引掛片１７と辺部１１長手方向にずれた位置となるように設けられている（図２（ａ）参照）。
【００２１】
また、この引掛片１７は、端面片部１５と補強片１６との角部から僅かに天井下地２側に立ち上がる部位を介して外側に向けて突出するように設けられている。また、本実施形態では、この引掛片１７の突出方向先端部の室内側縁部を面取形状とした構成としている。このような構成とすれば、隣り合う天井パネル１のパネル本体１０の裏面１０ｂ側に円滑に引っ掛けることができる。
この引掛片１７の突出寸法及び辺部１１長手方向に沿う寸法は、隣り合う天井パネル１の裏面１０ｂ側に安定的に引掛けられるように適宜の寸法としてもよい。図例では、引掛片１７を、突出寸法よりも辺部１１長手方向に沿う寸法を大とした平面視して略長方形状とした例を示している。また、図例では、引掛片１７の突出寸法を、補強片１６の幅寸法よりも大とした例を示しているが、補強片１６の幅寸法と略同寸法としたり、補強片１６の幅寸法よりも小としたりしてもよい。
【００２２】
固定片１８は、パネル本体１０の厚さ方向に厚さ方向を沿わせて配される薄板状とされている。この固定片１８の止着部となる挿通孔１９は、固定片１８を厚さ方向に貫通して設けられている。また、固定片１８は、下方側に向く室内側面１８ａから補強片１６の上方側に向く天井下地側面までのパネル厚さ方向に沿う寸法が止具５の頭部のパネル厚さ方向に沿う寸法よりも大となるように設けられている（図２（ｂ）参照）。なお、挿通孔１９を止具５の頭部の受入可能な皿孔状とした場合には、このような態様に限られない。
また、この固定片１８は、隣り合う天井パネル１，１同士が施工された状態で、隣り合う天井パネル１の固定片１８と干渉しないように、隣り合う天井パネル１の固定片１８と辺部１１長手方向にずれた位置となるように設けられている。本実施形態では、図２（ａ）に示すように、隣り合う天井パネル１，１同士が施工された状態で、一方の天井パネル１の固定片１８と引掛片１７との間に他方の天井パネル固定片１８または引掛片１７が位置するように固定片１８及び引掛片１７を設けた構成としている。
【００２３】
また、固定片１８は、本実施形態では、室内側面１８ａが引掛片１７の上方側に向く天井下地側面１７ａよりもパネル厚さ方向で天井下地２側に位置するように設けられている。この固定片１８の室内側面１８ａから引掛片１７の天井下地側面１７ａまでのパネル厚さ方向に沿う寸法は、隣り合う天井パネル１を施工する際に、天井下地２に固定された固定片１８に隣り合う天井パネル１の引掛片１７が干渉し難くなるように適宜の寸法としてもよい。
また、固定片１８は、端面片部１５と補強片１６との角部から天井下地２側に立ち上がる部位を介して外側に向けて突出するように設けられている。また、図例では、この固定片１８の突出方向先端部の室内側縁部を、引掛片１７同様、面取形状とした例を示しているが、このような態様に限られない。
【００２４】
この固定片１８の突出寸法及び辺部１１長手方向に沿う寸法は、天井下地２に安定的に固定可能なように適宜の寸法としてもよい。図例では、固定片１８の平面視した外郭形状を、引掛片１７と概ね同形状とした例を示している。また、固定片１８及び引掛片１７の辺部１１長手方向に沿う寸法を、互いに略同寸法とし、固定片１８の突出寸法を引掛片１７の突出寸法よりも僅かに大とした例を示しているが、このような態様に限られない。また、隣り合う固定片１８と引掛片１７との間の辺部１１長手方向に沿う寸法は、隣り合う天井パネル１同士を連結する際に引掛片１７，１７同士が干渉し難くなるように、また、天井下地２への固定強度や保持性の観点等から適宜の寸法としてもよい。隣り合う固定片１８と引掛片１７との間の辺部１１長手方向に沿う寸法を、引掛片１７の辺部１１長手方向に沿う寸法以上の寸法とすることが好ましく、図例では、引掛片１７の辺部１１長手方向に沿う寸法の２倍程度の寸法とした例を示している。
なお、図例では、辺部１１に、４つの固定片１８及び４つの引掛片１７を設けた例を示しているが、固定片１８及び引掛片１７の個数は、このような個数に限られず、辺部１１の長さ等に応じて適宜の個数としてもよい。また、図例では、取付片部１４、端面片部１５、補強片１６、引掛片１７及び固定片１８の厚さ寸法を、互いに略同寸法とした例を示しているが、これらの厚さ寸法は、強度上の観点や軽量化を図る観点等から適宜の寸法としてもよい。
【００２５】
上記構成とされた天井パネル１は、複数枚の天井パネル１を縦横に隣接させるようにして順次、天井下地２に固定片１８を固定して施工される。例えば、壁際に配される辺部１１の固定片１８を適宜の天井下地２に固定し、壁から間隔を空けて設けられた天井下地２に反対側の辺部１１の固定片１８を固定する。この固定された天井パネル１の辺部１１の補強片１６に、図３に示すように、隣接される天井パネル１をスライドさせながら、その辺部１１の引掛片１７を載せるように引っ掛けて保持させ、反対側の辺部１１の固定片１８を天井下地２に固定するようにしてもよい。つまり、固定された天井パネル１に対して、隣接される天井パネル１の一方の辺部１１を引っ掛けて保持させた状態で、この天井パネル１の他方の辺部１１を天井下地２に固定するようにしてもよい。
【００２６】
本実施形態に係る天井パネル１は、上述のような構成としたことで、見栄え良く固定可能でありながらも、施工性を向上させることができる。
つまり、パネル本体１０における天井下地２に固定される辺部１１の裏面１０ｂ側に、この辺部１１に沿って間隔を空けて複数の固定片１８を外方に向けて突出させるように設けた構成としている。従って、固定片１８を天井下地２にねじ等の止具５によって固定することができるので、天井パネル１（パネル本体１０）の端部の表面１０ａにおいて止具頭部が露出するようなことがなく、見栄え良く固定することができる。
【００２７】
また、パネル本体１０における隣り合う天井パネル１側の辺部１１の裏面１０ｂ側に、隣り合う天井パネル１のパネル本体１０の裏面１０ｂ側に互いに干渉しないように引っ掛けられる複数の引掛片１７を各辺部１１に沿って間隔を空けて設けた構成としている。従って、上記のように固定片１８が固定された天井パネル１に対して他の天井パネル１をスライドさせるように移動させることで、互いの引掛片１７，１７が各パネル本体１０，１０の裏面１０ｂ，１０ｂ側に引っ掛けられ、他の天井パネル１の辺部１１を保持させることができる。これにより、ジョイナー等の固定金具を天井下地２に固定する必要があるものと比べて、施工性を向上させることができる。また、これら引掛片１７，１７は、パネル本体１０，１０の裏面１０ｂ，１０ｂ側に引っ掛けられるので、図２（ｂ）に示すように、隣り合う天井パネル１，１のパネル本体１０，１０の端面同士を突き合せて施工することができる。これにより、目地材が露出したりするようなことがなく、見栄え良く固定することができる。
【００２８】
また、本実施形態では、固定片１８を、天井下地２に止着される止具５の止着部としての挿通孔１９がパネル厚さ方向に見て引掛片１７と重なり合わないように設けた構成としている。従って、上記のように天井下地２に固定片１８を固定する際に引掛片１７が邪魔になるようなことがない。
また、固定片１８は、その室内側面１８ａが引掛片１７の天井下地側面１７ａよりもパネル厚さ方向で天井下地２側に位置するように設けられている。従って、隣り合う天井パネル１，１同士を連結する際に固定片１８が引掛片１７やパネル本体１０の裏面１０ｂ（本実施形態では、補強片１６）に干渉するようなことを抑制することができる。
【００２９】
また、本実施形態では、固定片１８が設けられた辺部１１に、固定片１８と引掛片１７とを交互に設けた構成としている。従って、天井下地２に固定片１８を安定的に固定することができ、また、このように固定された固定片１８，１８間に隣り合う他の天井パネル１の引掛片１７が引っ掛けられることとなるので、隣り合う他の天井パネル１の辺部１１を安定的に保持させることができる。なお、このような態様に代えて、固定片１８と引掛片１７とを交互に設けていない構成としてもよい。例えば、辺部１１の両端部に固定片１８，１８を設け、これらの間に複数の引掛片１７を設けた態様等としてもよい。
【００３０】
また、本実施形態では、パネル本体１０に、引掛片１７が引っ掛けられる補強片１６を裏面１０ｂに沿わせるように設けた構成としている。従って、引掛片１７によってパネル本体１０の裏面１０ｂ側が損傷するようなことを抑制することができる。また、引掛片１７を補強片１６によって支持することができるので、パネル本体１０の変形に起因する垂れ下がりを抑制することができる。
また、本実施形態では、固定片１８が設けられた辺部１１に、固定片１８、引掛片１７及び補強片１６が一体的に設けられた金属製端部材１３を取り付けた構成としている。従って、それぞれに別体とされた固定片１８、引掛片１７及び補強片１６を辺部１１に取り付けたものと比べて、辺部１１に沿う固定片１８、引掛片１７及び補強片１６の位置精度を向上させることができる。また、パネル本体１０の辺部１１を補強することもできる。
【００３１】
なお、上記のように、固定片１８、引掛片１７及び補強片１６を金属製端部材１３に一体的に設けた態様に代えて、固定片１８、引掛片１７及び補強片１６のうちの少なくとも一つを別体的に設けた構成等としてもよい。また、補強片１６を設けていない構成としてもよい。
また、本実施形態では、固定片１８と引掛片１７とをパネル厚さ方向に見て互いに重なり合わないように辺部１１に沿って間隔を空けて設けた例を示しているが、これらの一部が互いに重なり合うように設けた態様としてもよい。
また、本実施形態では、固定片１８と引掛片１７とをパネル厚さ方向で異なる位置となるように設けた例を示しているが、これらをパネル厚さ方向で同じ位置となるように設けた構成としてもよい。つまり、これら固定片１８及び引掛片１７の厚さ方向両面が互いに略同一平面状となるように設けた構成としてもよい。この場合は、引掛片１７の一部が固定片１８として機能するような態様等としてもよい。本実施形態に係る天井パネル１の各部の構成は、上記したような態様に限られず、その他、種々の変形が可能である。
【符号の説明】
【００３２】
１      天井パネル
１０    パネル本体
１０ｂ  裏面
１１    辺部
１３    金属製端部材
１６    補強片
１７    引掛片
１７ａ  天井下地側面
１８    固定片
１８ａ  室内側面
１９    挿通孔（止着部）
２      天井下地
５      止具
【図１】
2019116785.tif 000003
【図２】
2019116785.tif 000004
【図３】
2019116785.tif 000005